(57)【特許請求の範囲】
【請求項１】
a) 外体（１）と中へ入れる中体（２）とから成り、
b) 外体（１）は、中央を横切る中畳線（３）によって背方へ屈折する外背板（４）と、外背板（４）の天領域へ横方向の折線である棚ヒンジ部（５）を介して設けた天棚（６）と、外背板（４）の下部領域の正面領域を囲んで設けた筒部（７）と、筒部（７）の中に収納した井形状に組込んだ補強板（８）と、から成り、
c) 中体（２）は、中央板である内背板（１２）と、その両側を正面方向へコの字形状に折り曲げた板である側柱板（１３）とから成る補強枠（１１）と、正面方向から側柱板（１３）に相互切り込みで差し込む中棚（１４）と、側柱板（１３）の下縁に設けた床板（１７）と、から成り、
d) 中体（２）と外体（１）との固定はプラスチックの捩子を通す事によって行い、この捩子を通す為の穴を上下二箇所に設け、内背板（１２）の上部両側へ内上穴（２０）を開け、外背板（４）の天棚（６）の下の両側へ外上穴（２１）を開け、中棚（１４）の背縁両側を突出して垂らしてフラップ（２２）を延設し、フラップ（２２）の中央へフラップ孔（２３）を設け、外背板（４）の中畳線（３）上の両側へ外下穴（２４）を設け、
e) 筒部（７）の側面の中央に、天地に貫く折線である側畳線（１０）を設けて折り畳めるようにした
紙製陳列棚台。
【発明の詳細な説明】
【０００１】
【発明の属する技術分野】
本発明は、紙製の陳列棚及び陳列台に関する。
【０００２】
【従来の技術】
従来、陳列棚と陳列台は別個の状態であり、陳列棚は、コの字形状に折り曲げた外枠の内側へ、複数の棚を差込み及び接着によって取り付けた物であり、陳列台では、筒状の枠内へ十字状或いは井形状に組込んだ補強板の上へ床板を乗せた物であった。
【０００３】
【発明が解決しようとする課題】
陳列台と棚を合体させる事で立体的に商品を陳列できる様にし、棚面を広くする事によって、陳列商品のＰＲ度を増す様にする。
【０００４】
【課題を解決するための手段】
天棚と陳列台になる筒部を有した外体を設け、外体の背板の中央は中畳線を介して背方向へ折り畳む事が可能であり、天棚と筒部との間へ中体を収納するのであり、中体はコの字形状に折り曲げた補強枠の中央正面から中棚の背部を差込み、補強枠の下端には床板を取り付け、補強枠を外体にプラスチック捩子で固定する事で中畳線は伸直し、補強枠がコの字形状をしている事から天棚を乗せる事ができる。
【０００５】
【発明の実施の形態】
発明の実施の形態について図面を参照して説明すると、中体を取り出した状態で示した斜視図の図１に於いて、本発明物は段ボール紙を素材に用い、天棚６と陳列台になる筒部７を設けた外体１を設け、天棚６と筒部７との間へ嵌め込む中体２を設け、中体２の中央へは正面方向から中棚１４を差し込み、
外体１に於いて、外背板４を設け、外背板４の両側を背方へ折り返す事によって二重層を成し、天領域へ棚ヒンジ部５を介して天棚６を設け、天棚６の取り付けは、棚ヒンジ部５を介して背方へ接着片を延設し、この接着片を上へ折り曲げて外背板４と接着するのであり、接着片を隠す為に外背板４の天縁から正面方向へ覆い面２５を重ねた状態で接着し、外背板４の下部域の正面方向へコの字形状の枠を接着して筒部７を設け、筒部７の内側へ井の字形状に組み込んだ補強板８を収納し、筒部７の両側板の中央を縦に貫く折線で側畳線１０を設け、筒部７の下縁へ折線を介して内側へ直角折りする底縁片９を設け、底縁片９は補強板８が底から抜け落ちるのを防止する事と側畳線１０を伸直させる役割を果たし、
内体２に於いて、コの字形状に折り曲げた補強枠１１を設け、補強枠の中央板を内背板１２と称し、両側の正面方向へ曲げた板を側柱板１３と称し、側柱板１３は正面縁を外側へ折り曲げて二層を成し、側柱板１３の正面方向から中棚１４を差込んで固定し、この差込みを行う為、側柱板１３の正面方向から中央部へ向けた切込みで柱係止溝１５を設け、中棚１４の背縁両側から正面方向へ向けた部分的な切込みで棚係止溝１６を設け、中棚１４は補強枠１１の天地方向の中央へ一枚だけ設けてあるが、天地方向へ複数設けても良く、補強枠１１の下端へは床板１７を取り付けるのであり、この取り付けをする為、側柱板１３の下端を部分的に突出して下端凸部１８を設け、床板１７へ下端凸部１８と接する箇所へ嵌合溝１９を設け、
外体１へ中体２を収納した状態の固定はプラスチック捩子を通して行うのであり、捩子の他、割りピンを用いても良く、捩子の通し穴は天地それぞれの両側に設け、中体２方では、中棚１４の背縁両側へ折線を介してフラップ２２を延設し、フラップ２２の中央へフラップ孔２３を設け、内背板１２の天域両側へ内上穴２０を設け、外体１方では、外背板４に穴を開けるのであって、下穴は中畳線３の上の両側へ外下穴２４を設け、棚ヒンジ部５下の両側よりやや内側へずれた箇所へ外上穴２１を設ける。
【０００６】
組み立て完了状態を正面方向から示した斜視図の図２に於いて、本発明物の組み立て順序は、筒部７へ床板１７を乗せ、中棚１４を差し込んだ中体２を天棚６と筒部７との間へ嵌め込み、プラスチック捩子で固定して組み立ては完了するのであり、外背板４と内背板１２とか重なっている事によって中畳線３が伸直し、補強枠１１はコの字状に屈折している事によって内背板１２は補強され、側柱板１３は中棚１４の取り付け箇所となる他、天棚６を乗せる土台と成り、天棚６と中棚１４の正面縁と両側縁へは棚枠２６を有して、陳列物の零れ落ちを防止しており、側柱板１３と中棚１４との係止と、下端凸部１８と嵌合溝１９との嵌合によって補強枠１１がコの字状に折れ曲がった状態を固定しており、外体１の天縁へ溝を開けて表示板を差し込んでＰＲ効果を高めても良い。
【０００７】
組み立て完了状態を背方から示した斜視図の図３に於いて、外体１の外背板４の両側は背方へ折り返して、背方の中央で折り合わせ、外背板４は二重構造である事から中畳線３の正面は半切りし、背面は谷折り線を成し、中畳線３上領域の両側へ外下穴２４を開け、プラスチック捩子を通して固定し、外背板４の上部領域で天棚６より直ぐ下の領域の両側よりやや内側へずれた箇所へ外上穴２１を設け、外背板４の天縁領域へ図１で示した覆い面２５の背方への折り返し面を接着する。
【０００８】
外体を折り畳む過程で背方から示した斜視図の図４に於いて、外体１は補強板８を抜き出せば折り畳めるのであり、中畳線３を折り曲げる事によって外背板４を二つ折りし、棚ヒンジ部５を屈折させる事によって天棚６を折り畳み、底縁片９を伸ばし、側折線１０を外側へ屈折させる事によって筒部７を折り畳み、側折線１０の屈折方向は内側であっても良く、補強板８は平板を四枚組み合わせて井の字形状に組み立てても良いが、二枚の板をコの字状に折り曲げて組み込む方が望ましい。
【０００９】
【発明の効果】
天棚と筒部との間へ補強枠１１を嵌め込む事によって中畳線は伸直し、補強枠１１はコの字状に折れ曲がっている事によって強度を増し、側柱板へ柱係止溝１５を切り込む事によって、棚係止溝１６と係止せしめて中棚１４を差し込んで固定する事ができ、側柱板１３の天縁へ天棚６を乗せる事によって天棚６の垂れ落ちを防止し、天中棚双方共補強枠１１より外側へ広がっているので棚の面積は広く、広い事からＰＲ効果は高まり、陳列台と棚とが合体している事から、商品を立体的に陳列する事ができる。
【図面の簡単な説明】
【図１】中体を取り出した状態で示した斜視図
【図２】組み立て完了状態を正面方向から示した斜視図
【図３】組み立て完了状態を背方から示した斜視図
【図４】外体を折り畳む過程で背方から示した斜視図
【符号の説明】
１  外体
２  中体
３  中畳線
４  外背板
６  天棚
７  筒部
８  補強板
11  補強枠
14  中棚
17 床板
【図１】
0003842849.tif 000002
【図２】
0003842849.tif 000003
【図３】
0003842849.tif 000004
【図４】
0003842849.tif 000005